(57)【特許請求の範囲】
【請求項１】
１枚の鋼板の打抜き加工により形成され、その外縁全周に第１縁巻を有する平板状の第１パネルとその外縁全周に第２縁巻を有する平板状の第２パネルとを直交状態に連結するためのパネル連結具であって、
前記第１縁巻のみを囲うように係合する第１係合部と、
前記第２縁巻とこれに接続する前記第２パネルの部分とを挟み込むように係合する第２係合部とを備え、
前記第１係合部に対して前記第１縁巻が進入する方向と、前記第２係合部に対して前記第２縁巻が進入する方向とは、平面視において直交する、パネル連結具。
【請求項２】
前記パネル連結具はバネ鋼よりなり、
前記第１係合部は、前記第１縁巻の軸方向に対して直交する方向に外方から押圧することで抜け止め状態で前記第１縁巻に係合する、請求項１記載のパネル連結具。
【請求項３】
前記第１係合部は、前記第１縁巻に対してその軸方向にスライドさせることで前記軸方向に直交する方向に抜け止め状態に前記第１縁巻に係合する、請求項１記載のパネル連結具。
【請求項４】
前記第２係合部は、前記第２パネルの一方面を押える第１押圧片と、前記第２パネルの他方面を押える第２押圧片とを含む、請求項２又は請求項３記載のパネル連結具。
【請求項５】
前記第１係合部と前記第２係合部とは近接状態で配置される、請求項１から請求項４のいずれかに記載のパネル連結具。
【発明の詳細な説明】
【技術分野】
【０００１】
この発明はパネル連結具に関し、特に縁巻を有した調理用油除けパネル等の金属板よりなるパネルを連結するパネル連結具に関するものである。
【背景技術】
【０００２】
図１６は、従来のパネル連結構造を用いた調理用油除けパネルの使用状態を示した斜視図であり、図１７は、図１６の“Ｚ”部分の拡大図であり、図１８は、図１７の状態から正面パネルを上方に持ち上げた状態の変化を示した斜視図である。
【０００３】
これらの図を参照して、調理用油除けパネル８０は薄い鉄板、アルミ板等の曲げ加工によって形成され、矩形平板状の正面パネル８１と、正面パネル８１の右側に連結された矩形平板形状の右側面パネル８５と、正面パネル８１の左側に連結された矩形平板形状の左側面パネル８９とから構成されており、システムキッチンレンジ９０に設置される。
【０００４】
正面パネル８１は矩形平板形状の平板部８２と平板部８２の上端縁を曲げ加工することによって形成された上部縁巻８３と、平板部８２の右端端部を曲げ加工することによって形成された右側部縁巻８４とから構成されている。一方、右側面パネル８５は矩形平板形状の平板部８６と、平板部８６の上端部を曲げ加工することによって形成された上部縁巻８７と、平板部８６の奥側端部を曲げ加工することによって形成された側部縁巻８８とから構成されている。尚、側部縁巻８８は右側部縁巻８４を外方から巻込む態様で形成されている。正面パネル８１と左側面パネル８９との連結構造は、上記の正面パネル８１と右側面パネル８５との連結構造と同様であるため、その説明を省略する。
使用に際しては、正面パネル８１の上部縁巻８３を持ち上げると、右側部縁巻８４は側部縁巻８８の内部で矢印の方向に摺動可能であるので、正面パネル８１のみを上方に移動させることができる。これによって、各パネルを分解したり、連結することが可能となる。
【先行技術文献】
【特許文献】
【０００５】
【特許文献１】特開２００２−１０６５２６号公報
【発明の概要】
【発明が解決しようとする課題】
【０００６】
上記のような従来のパネル連結構造では、連結させるためにパネル自身に特殊な縁巻を形成する必要があり、パネル同士の連結が容易ではなかった。
【０００７】
この発明は、上記のような課題を解決するためになされたもので、パネルに一般的な縁巻さえあれば容易に連結かつ分離できるパネル連結具を提供することを目的とする。
【課題を解決するための手段】
【０００８】
上記の目的を達成するために、請求項１記載の発明は、１枚の鋼板の打抜き加工により形成され、その外縁全周に第１縁巻を有する平板状の第１パネルとその外縁全周に第２縁巻を有する平板状の第２パネルとを直交状態に連結するためのパネル連結具であって、第１縁巻のみを囲うように係合する第１係合部と、第２縁巻とこれに接続する第２パネルの部分とを挟み込むように係合する第２係合部とを備え、第１係合部に対して第１縁巻が進入する方向と、第２係合部に対して第２縁巻が進入する方向とは、平面視において直交するものである。
【０００９】
このように構成すると、パネル同士を、各々の縁巻を介して直交状態に連結する。
【００１０】
請求項２記載の発明は、請求項１記載の発明の構成において、パネル連結具はバネ鋼よりなり、第１係合部は、第１縁巻の軸方向に対して直交する方向に外方から押圧することで抜け止め状態で第１縁巻に係合するものである。
【００１１】
このように構成すると、第１係合部は押し込み時に開き、その後閉じるように形状変化する。
【００１２】
請求項３記載の発明は、請求項１記載の発明の構成において、第１係合部は、第１縁巻に対してその軸方向にスライドさせることで軸方向に直交する方向に抜け止め状態に第１縁巻に係合するものである。
【００１３】
このように構成すると、第１係合部は、第１縁巻に直交する方向に外れることは無い。
【００１４】
請求項４記載の発明は、請求項２又は請求項３記載の発明の構成において、第２係合部は、第２パネルの一方面を押える第１押圧片と、第２パネルの他方面を押える第２押圧片とを含むものである。
【００１５】
このように構成すると、第２パネルは両面から第２係合部により支持される。
【００１６】
請求項５記載の発明は、請求項１から請求項４のいずれかに記載の発明の構成において、第１係合部と第２係合部とは近接状態で配置されるものである。
【００１７】
このように構成すると、第１縁巻と第２縁巻とが接近した状態で第１パネルと第２パネルとが連結される。
【発明の効果】
【００１８】
以上説明したように、請求項１記載の発明は、パネル同士を、各々の縁巻を介し直交状態に連結するので、パネルに縁巻さえあれば容易に連結できると共に取付状態が安定する。
【００１９】
請求項２記載の発明は、請求項１記載の発明の効果に加えて、第１係合部は押し込み時に開き、その後閉じるように形状変化するので、第１縁巻の所望の位置に第１係合部を係合できるので使い勝手が良い。
【００２０】
請求項３記載の発明は、請求項１記載の発明の効果に加えて、第１係合部は、第１縁巻に直交する方向に外れることは無いので、第１係合部の係合状態の信頼性が向上する。
【００２１】
請求項４記載の発明は、請求項２又は請求項３記載の発明の効果に加えて、第２パネルは両面から第２係合部により支持されるので、第１パネルに対する第２パネルの連結状態が安定する。
請求項５記載の発明は、請求項１から請求項４記載の発明の効果に加えて、第１縁巻と第２縁巻とが接近した状態で第１パネルと第２パネルとが連結されるので、第１縁巻と第２縁巻との隙間が小さくなるため、用途による両パネルの囲い込み効果が損なわれない。
【図面の簡単な説明】
【００２２】
【図１】この発明の第１の実施の形態によるパネル連結具を用いた調理用油除けパネル構造体の斜視図である。
【図２】図１で示した第１パネルの正面図である。
【図３】図２の“Ｗ”部分の拡大図である。
【図４】図１で示したパネル連結具の正面図である。
【図５】図４で示したパネル連結具の平面図である。
【図６】図４に示したパネル連結具に図１に示した第１パネル及び第２パネルを係合させる状態を示した模式図である。
【図７】図６（２）に示したＶＩＩ−ＶＩＩラインから見た、図４に示したパネル連結具のスライド状態を示した模式図である。
【図８】図１で示した調理用油除けパネル構造体の据え置き型コンロにおける使用状態を示した斜視図である。
【図９】図１で示した調理用油除けパネル構造体のビルトインコンロにおける使用状態を示した斜視図である。
【図１０】この発明の第２の実施の形態によるパネル連結具と係合する第１パネルの正面図であって、第１の実施の形態の図２に対応する図である。
【図１１】図１０の“Ｘ”部分の拡大図である。
【図１２】この発明の第２の実施の形態によるパネル連結具の正面図であって、第１の実施の形態の図４に対応する図である。
【図１３】図１２で示したパネル連結具の平面図であって、第１の実施の形態の図５に対応する図である。
【図１４】図１２に示したパネル連結具を図１０に示した第１パネルに係合させる状態を示した模式図である。
【図１５】図１４に示したＸＶ−ＸＶラインから見た模式図である。
【図１６】従来のパネル連結構造を用いた調理用油除けパネルの使用状態を示した斜視図である。
【図１７】図１６の“Ｚ”部分の拡大図である。
【図１８】図１７の状態から正面パネルを上方に持ち上げた状態の変化を示した斜視図である。
【発明を実施するための形態】
【００２３】
図１は、この発明の第１の実施の形態によるパネル連結具を用いた調理用油除けパネル構造体の斜視図である。
【００２４】
図を参照して、パネル連結具１０ａ及び１０ｂにより、第１パネル２０と第２パネル３０とが連結され、調理用油除けパネル構造体１が構成されている。第１パネル２０及び第２パネル３０は、鉄板のプレス成型品であって各々コーナーが丸められた矩形シート形状を有し、第１パネル２０の全周には後述する巻径の第１縁巻２１が、第２パネル３０の全周には巻径が３ｍｍである第２縁巻３１がそれぞれ形成されている。第１パネル２０は横幅が６００ｍｍ、縦幅が３８０ｍｍに設定されており、第２パネル３０は横幅が３８０ｍｍ、縦幅が５２０ｍｍに設定されている。又、第１パネル２０の下端は、第２パネル３０の下端より１７５ｍｍ高い位置に設定されている。
【００２５】
尚、第１パネル２０と第２パネル３０とは、お互いの面が直交状態となり、かつ、第１パネル２０の一辺における第１縁巻２１と、第２パネル３０の一辺における第２縁巻３１とが各々の軸方向に並列状態で配置されるように連結されている。
【００２６】
図２は、図１で示した第１パネルの正面図であり、図３は、図２の“Ｗ”部分の拡大図である。
【００２７】
これらの図を参照して、第１縁巻２１は、巻径が３．５ｍｍである通常縁巻部２２の一部に、巻径が徐々に減少する第１縁巻径変化部２３と、第１縁巻径変化部２３の他端にその一端が接続され、巻径が３ｍｍである細縁巻部２４と、細縁巻部２４の他端にその一端が接続され、その巻径が徐々に増大する第２縁巻径変化部２５とを備えるものである。尚、細縁巻部２４の長さは７０ｍｍである。
【００２８】
第１縁巻２１をこのように構成したことによる効果については後述する。
【００２９】
図４は、図１で示したパネル連結具の正面図であり、図５は、図４で示したパネル連結具の平面図である。
【００３０】
これらの図を参照して、パネル連結具１０は、バネ鋼よりなる１枚の鋼板の打ち抜きプレス加工により形成され、図３に示した細縁巻部２４に係合する第１係合部１１と、図１に示した第２縁巻３１に係合する第２係合部１５とを近接状態に配置して備える。
【００３１】
このように構成すると、第１縁巻２１と第２縁巻３１とが近接した状態で第１パネル２０と第２パネル３０とが連結され、第１縁巻２１と第２縁巻３１との隙間が小さくなるため、両パネルの囲い込み効果が損なわれず油除け効果が向上する。
【００３２】
第１係合部１１は、略円筒形状の側面の一部を切り欠いた形状であり、内周壁の内径が３．２ｍｍに設定されている。第１係合部１１の両端には、第１係合部１１の切り欠き端部に一方端部が一体的に接続し、平面視末広がりとなる誘導壁１２ａ及び１２ｂが形成されている。尚、誘導壁１２ａ及び１２ｂの距離は、各々が最も近づく部分は２．５ｍｍに、最も離れる部分は４ｍｍに設定されている。
【００３３】
第２係合部１５は、図１に示した第２パネル３０の一方面を押える第１押圧片１６と、第２パネル３０の他方面を押える第２押圧片１７とを含み、第１係合部１１に近接する部分における第１押圧片１６と第２押圧片１７との距離は３．２ｍｍに設定されている。尚、第１押圧片１６は、第１係合部１１からの距離が遠くなるにつれて第２押圧片１７との距離が近づくように傾斜している。
【００３４】
第１押圧片１６の第１係合部１１に近接しない側の端部には誘導壁１８が、第２押圧片１７の第１係合部１１に近接しない側の端部には誘導壁１９が、互いに離れる方向に各々形成されている。
【００３５】
尚、パネル連結具１０をこのように構成したことによる効果については後述する。
【００３６】
図６は、図４に示したパネル連結具に図１に示した第１パネル及び第２パネルを係合させる状態を示した模式図である。
【００３７】
まず、図６の（１）を参照して、第１パネル２０の細縁巻部２４を、その軸方向に対して直交する、図の矢印の方向に、第１係合部１１に向かって押圧する。すると、上述したようにパネル連結具１０はバネ鋼よりなるので、第１係合部１１は、細縁巻部２４の押し込みによって誘導壁１２ａ及び１２ｂを介して押し開けられ、細縁巻部２４が第１係合部１１の内部に納まると共に、元の状態に戻ろうと閉じるように形状変化し、第１係合部１１は細縁巻部２４のみを囲うように係合する。
【００３８】
尚、この状態においては、細縁巻部２４の巻径と第１係合部１１との接続部分である一方端部における誘導壁１２ａ及び１２ｂの距離とが上述のように設定されていることにより、細縁巻部２４は第１係合部１１より抜け止め状態となる。第１パネル２０を第１係合部１１から外したい場合は、図の矢印の方向と逆の方向に第１パネル２０を引くと、第１係合部１１が再度開き、細縁巻部２４と第１係合部１１との係合状態を解除することができる。
【００３９】
このようにすると、細縁巻部２４の所望の位置に第１係合部１１を抜け止め状態であって、かつ、脱着自在に係合できるので使い勝手が良い。
【００４０】
次に、図６の（２）を参照して、第２パネル３０の第２縁巻３１を、その軸方向に対して直交する、図の矢印の方向に、第２係合部１５に向かって押圧する。すると、第２係合部１５も第２縁巻３１の押し込みによって誘導壁１８及び誘導壁１９を介して押し開けられ、第２縁巻３１が第２係合部１５の内部に納まると共に、元の状態に戻ろうと閉じるように形状変化し、第２係合部１５は第２縁巻３１とこれに接続する第２パネル３０の部分とを挟み込むように係合する。
【００４１】
尚、この状態においては、上述のように、第１押圧片１６が、第１係合部１１からの距離が遠くなるにつれて第２押圧片１７との距離が近づくように傾斜するように設定されているから、第２縁巻３１は第２係合部１５より抜け止め状態となる。又、第２パネル３０は両面から第１押圧片１６及び第２押圧片１７により支持される。
【００４２】
このように構成すると、第１パネル２０に対する第２パネル３０の連結状態が安定する。
【００４３】
尚、第２パネル３０を第２係合部１５から外したい場合は、図の矢印の方向と逆の方向に第２パネル３０を引くと、第２係合部１５が再度開き、第２縁巻３１と第２係合部１５との係合状態を解除することができる。
【００４４】
このようにすると、第２縁巻３１の所望の位置に第２係合部１５を抜け止め状態であって、かつ、脱着自在に係合できるので使い勝手が良い。
【００４５】
又、各々の縁巻を介してパネル同士を連結するので、パネルに縁巻さえあれば容易に連結できる。
【００４６】
更に、第１パネル２０、第２パネル３０及びパネル連結具１０の各々は完全に分離状態となるので、取り扱いが容易で、各パネルの洗浄も容易となる。
【００４７】
図７は、図６（２）に示したＶＩＩ−ＶＩＩラインから見た、図４に示したパネル連結具のスライド状態を示した模式図である。
【００４８】
図を参照して、係合状態の第１係合部１１及び細縁巻部２４は、細縁巻部２４、第１縁巻径変化部２３、第２縁巻径変化部（図示せず）及び通常縁巻部２２の各々の巻径と、第１係合部１１の内周壁の内径とが上述のように設定されていることにより、細縁巻部２４の範囲においてのみ、互いにスライド自在となる。
【００４９】
この状態で第２係合部１５と第２縁巻３１とを係合すると、第１パネル２０と第２パネル３０とは、パネル連結具１０を介して各々の面上において相対的に移動できるものになる。
【００５０】
このように構成すると、第１パネル２０と第２パネル３０との相対的な移動範囲を規制しつつ、第１パネル２０と第２パネル３０との位置関係を調整できるが、この効果については後述する。
【００５１】
図８は、図１で示した調理用油除けパネル構造体の据え置き型コンロにおける使用状態を示した斜視図であり、図９は、図１で示した調理用油除けパネル構造体のビルトインコンロにおける使用状態を示した斜視図である。
【００５２】
まず、図８を参照して、第１パネル２０がコンロ６１のトッププレート６２の上面に配置され、第２パネル３０がコンロ台６３の上面に設置され、第１パネル２０と第２パネル３０とが直交状態にある。
【００５３】
このようにすると、第１パネル２０と第２パネル３０とはコンロ６１を囲うように配置されるので、効果的な配置が実現できる。又、第２パネル３０が不用意にコンロ６１から落下する虞が無く、第１パネル２０及び第２パネル３０の取り付け状態が安定する。
【００５４】
ここで、コンロ６１のトッププレート６２の高さが図の二点鎖線で示した高さのものに変わったとしても、上述の通り、第１パネル２０と第２パネル３０とは、パネル連結具１０ａ及び１０ｂを介して各々の面上において相対的に移動可能であるので、第１パネル２０の位置を、トッププレート６２の高さに合わせて図の二点鎖線で示した位置に容易に移動させることができる。尚、上述したように、第１パネル２０の下端は、第２パネル３０の下端より１７５ｍｍ高い位置に設定されており、又、図３で示した細縁巻部２４の長さは７０ｍｍに設定されているので、１４０ｍｍから２１０ｍｍまでの高さのコンロ６１に対応することができる。
【００５５】
このようにすると、パネル同士の取り付け状態が安定した状態で、コンロ６１の種類に応じたレイアウト及び設置が容易となる。
【００５６】
次に、図９を参照して、第１パネル２０がビルトインコンロ６４のトッププレート６５の上面に配置され、図８の状態から９０度面内で回転させた状態でパネル連結具１０ａ及び１０ｂと係合した第２パネル３０がカウンター６６の上面に配置されている。
【００５７】
パネル連結具１０ａ及び１０ｂと第２縁巻３１とは脱着自在であり、又、第２パネル３０は全周に第２縁巻３１を形成しているので、第２パネル３０の向きを変えて第２パネル３０とパネル連結具１０ａ及び１０ｂと係合することは容易である。よって、このようにして、トッププレート６５とカウンター６６との高さの差が殆ど無いビルトインコンロ６４に対しても第１パネル２０及び第２パネル３０を設置することができる。
【００５８】
尚、この状態でも第１パネル２０と第２パネル３０とはパネル連結具１０ａ及び１０ｂを介して各々の面上において相対的に移動可能であるので、トッププレート６５の高さが図の二点鎖線で示した高さのものにビルトインコンロ６４が置き換わっても、その高さに適した、図の二点鎖線で示した位置に第１パネル２０の位置を合わせることができる。
【００５９】
図１０は、この発明の第２の実施の形態によるパネル連結具と係合する第１パネルの正面図であって、第１の実施の形態の図２に対応する図であり、図１１は、図１０の“Ｘ”部分の拡大図である。
【００６０】
これらの図を参照して、第１パネル５０の第１縁巻５１は、コーナー５６の周辺の巻径が２ｍｍである細縁巻部５４であり、細縁巻部５４の一方端部にその一端が接続され巻径が徐々に増大する第１縁巻径変化部５３と、細巻部の他方端部にその一端が接続され、その巻径が徐々に増大する第２縁巻径変化部５５とを備え、第１縁巻径変化部５３及び第２縁巻変化部５５の他端がそれぞれ、巻径が３ｍｍである通常縁巻部５２の一端に接続されるものである。尚、他の部分は図２に示したものと同一であるため、ここでの説明は繰り返さない。又、第１縁巻５１をこのように構成したことによる効果については後述する。
【００６１】
図１２は、この発明の第２の実施の形態によるパネル連結具の正面図であって、第１の実施の形態の図４に対応する図であり、図１３は、図１２で示したパネル連結具の平面図であって、第１の実施の形態の図５に対応する図である。
【００６２】
これらの図を参照して、パネル連結具４０の第１係合部４１が、図４又は図５に示したものから略円筒形状の側面の一部及び両端部の一部を切り欠いた形状のものに置き換わっている。尚、他の部分は図４又は図５に示したものと同一であるため、ここでの説明は繰り返さない。又、第１係合部４１をこのように構成したことによる効果については後述する。
【００６３】
図１４は、図１２に示したパネル連結具を図１０に示した第１パネルに係合させる状態を示した模式図であり、図１５は、図１４に示したＸＶ−ＸＶラインから見た模式図である。
【００６４】
これらの図を参照して、第１パネル５０のコーナーの細縁巻部５４から第１係合部４１を第１縁巻５１の軸方向にスライドさせる。このとき、第１係合部４１の側壁端部の一方から他方までの距離が２．５ｍｍに、第１係合部４１の内周壁の内径が３．２ｍｍにそれぞれ設定されているから、第１係合部４１は細縁巻部５４から第１縁巻径変化部５３を通過させて、通常縁巻部５２の所望の位置に向けてスライド可能となっている。又、第１係合部４１の側壁端部の一方から他方までの距離が２．５ｍｍに設定されているので、第１係合部４１は、通常縁巻部５２の所望の位置にきたとき、第１縁巻５１の軸方向に直交する方向に抜け止め状態に第１縁巻５１に係合することとなる。
【００６５】
このようにすると、第１係合部４１は第１縁巻５１に直交する方向に外れることが無く、第１係合部４１の係合状態の信頼性が向上する。
【００６６】
尚、上記の各実施の形態では、パネル連結具はバネ鋼よりなるものであったが、他の金属よりなるものであっても良い。
【００６７】
又、上記の各実施の形態では、第１係合部と第２係合部とが近接状態で配置されていたが、多少距離が離れていても良い。
【００６８】
更に、上記の各実施の形態では、第１押圧片及び第２押圧片は誘導壁を備えるものであったが、これらは無くても良い。
【００６９】
更に、上記の各実施の形態では、第２係合部は第１押圧片と第２押圧片とを備えるものであったが、これらは無くても良い。
【００７０】
更に、上記の第１の実施の形態では、第１係合部は外方から押圧することで抜け止め状態で細縁巻部に係合していたが、他の方法により係合させても良い。
【００７１】
更に、上記の第１の実施の形態では、第１係合部は誘導壁を備えるものであったが、これは無くても良い。
【００７２】
更に、上記の第１の実施の形態では、第１係合部は細縁巻部に係合していたが、第１縁巻の他の部分に係合していても良い。
【００７３】
更に、上記の第２の実施の形態では、第１係合部はスライドさせることで抜け止め状態で通常縁巻部に係合していたが、他の方法により係合させても良い。
【００７４】
更に、上記の第２の実施の形態では、第１係合部は通常縁巻部に係合していたが、第１縁巻の他の部分に係合していても良い。
【００７５】
更に、上記の各実施の形態では、調理用油除けパネルの連結にパネル連結具を用いていたが、調理用油除けパネル以外の連結に用いても良い。
【００７６】
更に、上記の各実施の形態では、鉄板よりなる調理用油除けパネルの連結にパネル連結具を用いていたが、他の金属板や金属箔よりなるパネルの連結に用いても良い。
【符号の説明】
【００７７】
１０ａ、１０ｂ…パネル連結具
１１…第１係合部
１５…第２係合部
１６…第１押圧片
１７…第２押圧片
２０…第１パネル
２１…第１縁巻
３０…第２パネル
３１…第２縁巻
４０…第１係合部
５０…第１パネル
５１…第１縁巻
尚、各図中同一符号は同一又は相当部分を示す。
【図１】
0005758104.tif 000002
【図２】
0005758104.tif 000003
【図３】
0005758104.tif 000004
【図４】
0005758104.tif 000005
【図５】
0005758104.tif 000006
【図６】
0005758104.tif 000007
【図７】
0005758104.tif 000008
【図８】
0005758104.tif 000009
【図９】
0005758104.tif 000010
【図１０】
0005758104.tif 000011
【図１１】
0005758104.tif 000012
【図１２】
0005758104.tif 000013
【図１３】
0005758104.tif 000014
【図１４】
0005758104.tif 000015
【図１５】
0005758104.tif 000016
【図１６】
0005758104.tif 000017
【図１７】
0005758104.tif 000018
【図１８】
0005758104.tif 000019